(57)【要約】無線通信のための方法が提供される。その方法はアクワジション・インジケータ・チャネル（ＡＩＣＨ）のための少なくとも１つの調整可能な電力パラメータを生成することと、拡張アクワジション・インジケータ・チャネル（Ｅ−ＡＩＣＨ）のための少なくとも１つの調整可能な電力パラメータの生成をすることと含む。その方法は、さらにＡＩＣＨとＥ−ＡＩＣＨとの差を示す少なくとも１つの電力オフセットを生成することを含む。
2011518499.tif 000002
【特許請求の範囲】
【請求項１】
アクワジション・インジケータ・チャネル（ＡＩＣＨ）のための調整可能な少なくとも１つの電力パラメータを生成することと、
拡張アクワジション・インジケータ・チャネル（Ｅ−ＡＩＣＨ）のための調整可能な少なくとも１つの電力パラメータの生成することと、
前記ＡＩＣＨと前記Ｅ−ＡＩＣＨとの差を表す少なくとも１つの電力オフセットを生成することとの行為を実行するために、コンピュータで読取可能な記憶媒体に格納されたコンピュータで実行可能な命令群を実行するプロセッサを用いる無線通信のための方法。
【請求項２】
さらに、要求されるネットワーク性能に基づいて、前記電力パラメータを最適化すること
を備える請求項１に記載の方法。
【請求項３】
前記ネットワーク性能は、要求されるエラー合計又は要求されるアラーム率に基づく請求項２に記載の方法。
【請求項４】
前記最適化は、０と１の間の値に設定されるαとして参照される電力比割当設定に基づく請求項２に記載の方法。
【請求項５】
前記最適化は、搬送波対干渉波比であるＥｃ／Ｉｏｒパラメータに基づく請求項４に記載の方法。
【請求項６】
前記最適化は、電力割当パラメータ又はコスト関数に基づく搬送波対干渉波比の最小化に基づく請求項２に記載の方法。
【請求項７】
前記最適化は、要求される閾値以下の電力設定に基づく請求項２に記載の方法。
【請求項８】
さらに、任意に選択されたアクセス・プリアンブル・シグネチャを送信すること
を備える請求項１に記載の方法。
【請求項９】
さらに、前記アクセス・プリアンブル・シグネチャを拡張個別チャネル（Ｅ−ＤＣＨ）リソースに割当てること
を備える請求項８に記載の方法。
【請求項１０】
さらに、複数のシグネチャのうち少なくとも１つを送信することと、Ｅ−ＤＣＨリソースを示すためにインデックスを使用することと
を備える請求項９に記載の方法。
【請求項１１】
さらに、関連付けられたＥ−ＡＩＣＨシグネチャのために＋１又は−１を送信することを備える請求項９に記載の方法。
【請求項１２】
さらに、ＡＩＣＨシグネチャに分配されていないシンボルと最大マグニチュードの相関器出力の選択とを対応付けすること
を備える請求項１１に記載の方法。
【請求項１３】
さらに、曲線群に基づいて、電力最適化の処理をすること
を備える請求項１に記載の方法。
【請求項１４】
さらに、前記曲線群の中で、リソースの数を変化させること
を備える請求項１３に記載の方法。
【請求項１５】
さらに、前記曲線群の中で、電力割当値を変化させること
を備える請求項１４に記載の方法。
【請求項１６】
アクワジション・インジケータ・チャネル（ＡＩＣＨ）のための調整可能な電力パラメータを生成するための命令と、拡張アクワジション・インジケータ・チャネル（Ｅ−ＡＩＣＨ）のための調整可能な電力パラメータの生成するための命令と、前記ＡＩＣＨと前記Ｅ−ＡＩＣＨとの差を表す少なくとも１つの電力オフセットを決定するための命令と、記憶するメモリと、
前記命令を実行するプロセッサと
を備える通信装置。
【請求項１７】
さらに、電力割当パラメータが前記ＡＩＣＨと前記Ｅ−ＡＩＣＨとの間で割当てられる場合、０と１の範囲にある前記電力割当パラメータを決定すること
を備える請求項１６に記載の装置。
【請求項１８】
前記電力割当パラメータは、要求されるエラー合計又は要求されるアラーム率に基づくこと
を備える請求項１７に記載の装置。
【請求項１９】
さらに、搬送波対干渉波比であるＥｃ／Ｉｏｒパラメータを処理するための処理手段
を備える請求項１７に記載の装置。
【請求項２０】
さらに、コスト関数に基づき搬送波対干渉波比又は前記電力割当パラメータを最小化する要素
を備える請求項１７に記載の装置。
【請求項２１】
アクワジション・インジケータ・チャネル（ＡＩＣＨ）のための調整可能な電力パラメータを送信する手段と、
拡張アクワジション・インジケータ・チャネル（Ｅ−ＡＩＣＨ）のための調整可能な電力パラメータを送信する手段と、
前記ＡＩＣＨと前記Ｅ−ＡＩＣＨとの差を示す電力パラメータを決定する手段と
を備える通信装置。
【請求項２２】
さらに、前記ＡＩＣＨと前記Ｅ−ＡＩＣＨの間で、電力を割当てる電力割当パラメータ
を備える請求項２１に記載の装置。
【請求項２３】
アクワジション・インジケータ・チャネル（ＡＩＣＨ）のための調整可能な電力パラメータを送信することと、
拡張アクワジション・インジケータ・チャネル（Ｅ−ＡＩＣＨ）のための調整可能な電力パラメータを処理することと、
無線ネットワークの少なくとも１つのノードに前記ＡＩＣＨと前記Ｅ−ＡＩＣＨの間の電力オフセットを通信することと
を備えるコンピュータ読取可能媒体。
【請求項２４】
さらに、コスト関数による部分に基づいて、前記電力オフセットを決定すること
を備える請求項２３に記載のコンピュータ読取可能媒体。
【請求項２５】
アクワジション・インジケータ・チャネル（ＡＩＣＨ）のための調整可能な電力パラメータの通信することと、
拡張アクワジション・インジケータ・チャネル（Ｅ−ＡＩＣＨ）のための調整可能な電力パラメータの決定することと、
無線ネットワークで、前記ＡＩＣＨと前記Ｅ−ＡＩＣＨとの間の電力オフセットを通信することとを含むこととの命令を実行するプロセッサ。
【請求項２６】
さらに、エラー率又はアラーム合計に部分的に基づいて、前記電力オフセットを最適化すること
を備える請求項２５に記載のプロセッサ。
【請求項２７】
さらに、エラー・パフォーマンス曲線群に部分的に基づいて、前記電力オフセットを最適化すること
を備える請求項２６に記載のプロセッサ。
【請求項２８】
アクワジション・インジケータ・チャネル（ＡＩＣＨ）のための少なくとも１つの調整可能な電力パラメータを受信することと、
拡張アクワジション・インジケータ・チャネル（Ｅ−ＡＩＣＨ）のための少なくとも１つの調整可能な電力パラメータの処理することと、
前記ＡＩＣＨと前記Ｅ−ＡＩＣＨとの差を表す少なくとも１つの電力オフセットを処理することとの行為を実行するために、コンピュータで読取可能な記憶媒体に格納されたコンピュータで実行可能な命令群を実行するプロセッサを用いる無線通信のための方法。
【請求項２９】
さらに、０と１の間の値に設定されるαとして参照される電力比割当設定に基づいて、前記電力オフセットを最適化すること
を備える請求項２８に記載の方法。
【請求項３０】
前記最適化は、搬送波対干渉波比であるＥｃ／Ｉｏｒパラメータに基づく請求項２９に記載の方法。
【請求項３１】
前記最適化は、電力割当パラメータ又はコスト関数に基づく搬送波対干渉波比の最小化に基づく請求項２９に記載の方法。
【請求項３２】
アクワジション・インジケータ・チャネル（ＡＩＣＨ）のための調整可能な電力パラメータを処理するための命令と、拡張アクワジション・インジケータ・チャネル（Ｅ−ＡＩＣＨ）のための調整可能な電力パラメータを処理するための命令と、前記ＡＩＣＨと前記Ｅ−ＡＩＣＨとの差を表す電力オフセット・パラメータを受信するための命令とを記憶するメモリと、
前記命令を実行するプロセッサと
を備える通信装置。
【請求項３３】
さらに、電力割当パラメータが前記ＡＩＣＨと前記Ｅ−ＡＩＣＨとの間で割当てられる場合、０と１の範囲にある前記電力割当パラメータを処理すること
を備える請求項３２に記載の装置。
【請求項３４】
さらに、電力割当パラメータ又はコスト関数に基づく搬送波対干渉波比を最小化するための要素
を備える請求項３４に記載の装置。
【請求項３５】
アクワジション・インジケータ・チャネル（ＡＩＣＨ）のための調整可能な電力パラメータを処理するための手段と、
拡張アクワジション・インジケータ・チャネル（Ｅ−ＡＩＣＨ）のための調整可能な電力パラメータを処理するための手段と、
前記ＡＩＣＨと前記Ｅ−ＡＩＣＨとの差を表す電力パラメータを受信するための手段と
を備える無線通信装置。
【請求項３６】
さらに、前記ＡＩＣＨと前記Ｅ−ＡＩＣＨとの間の電力を割当てる電力割当パラメータ
を備える請求項３５に記載の装置。
【請求項３７】
アクワジション・インジケータ・チャネル（ＡＩＣＨ）のための調整可能な電力パラメータを受信することと、
拡張アクワジション・インジケータ・チャネル（Ｅ−ＡＩＣＨ）のための調整可能な電力パラメータを受信することと、
無線ネットワークの少なくとも１つのノードの前記ＡＩＣＨと前記Ｅ−ＡＩＣＨとの間の電力オフセットを処理することと
を備えるコンピュータ読取可能媒体。
【請求項３８】
さらに、コスト関数による部分に基づく電力オフセットを決定すること
を備える請求項３７に記載のコンピュータ読取可能媒体。
【請求項３９】
アクワジション・インジケータ・チャネル（ＡＩＣＨ）のための調整可能な電力パラメータを受信する命令と、
拡張アクワジション・インジケータ・チャネル（Ｅ−ＡＩＣＨ）のための調整可能な電力パラメータを受信する命令と、
無線ネットワークで、前記ＡＩＣＨと前記Ｅ−ＡＩＣＨとの間の電力オフセットを処理する命令こととを実行するプロセッサ。
【請求項４０】
さらに、エラー・パフォーマンス曲線群の部分に基づく電力オフセットを最適化すること
を備える請求項３９に記載のプロセッサ。
【発明の詳細な説明】
【合衆国法典第３５巻第１１９条の下での優先権主張】
【０００１】
この出願は、信頼性の高いＥ−ＤＣＨリソース割当ての目的でＡＩＣＨ及びＥ−ＡＩＣＨビットにフレキシブルな電力設定、と題して、２００８年３月３１日に出願された米国仮特許出願６１／０４０，８０２号の利益を主張し、その全体は、参照によって本明細書に組み込まれる。
【技術分野】
【０００２】
以下の説明は、一般に、無線通信システムに関係し、より特に、アクワジション・インジケータ・チャネル（ＡＩＣＨ）及び拡張ＡＩＣＨ（Ｅ−ＡＩＣＨ）のための調整可能な電力オフセット・パラメータの生成及び通信に関する。
【背景技術】
【０００３】
無線通信システムは、音声、データなどのような様々なタイプの通信内容を提供するために広く展開されている。
【０００４】
これらのシステムは、（例えば、帯域幅、送信電力等のような）利用可能なシステム・リソースを共有することにより、複数のユーザとの通信をサポートすることができる多重アクセスシステムであることがある。そのような多重アクセスシステムの例は、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムが含まれる。
【０００５】
直交周波数分割多重（ＯＦＤＭ）通信システムは、全体システム帯域幅を、複数（ＮF）の副搬送波（周波数サブチャネル、トーンあるいは周波数バイン(bins)と呼ばれることがある。）に有効に分割する。ＯＦＤＭシステムの場合、送信されるデータ（つまり情報ビット）は、まず、符号化されたビットを生成するために特定の符号化スキームで符号化される。そして、符号化されたビットは、変調シンボルにその後マップされるマルチ・ビット・シンボルにさらにグループ化される。各変調シンボルは、データ伝送のために使用される特定の変調スキーム（例えば、Ｍ−ＰＳＫあるいはＭ−ＱＡＭ）によって定義された信号の一群の中の一つのポイントに対応する。各周波数副搬送波の帯域幅に依存しうる各時間インタバルで、変調シンボルは、ＮF個の周波数副搬送波のそれぞれで送信されうる。したがって、ＯＦＤＭは、システム帯域幅における様々な減衰量が特徴となる周波数選択性フェージングによって引き起こされた符号間干渉（ＩＳＩ）を抑制するために使用されうる。
【０００６】
一般に、無線多重アクセス通信システムは、順方向リンク及び逆方向リンクによる送信によって１または複数の基地局と通信する複数の無線端末のための通信を同時にサポートすることができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００７】
ＭＩＭＯシステムは、データ伝送のために、複数（ＮＴ個）の送信アンテナと、複数（ＮＲ個）の受信アンテナとを使用する。ＮＴ個の送信アンテナ及びＮＲ個の受信アンテナによって形成されるＭＩＭＯチャネルは、空間チャネルとも称されるＮＳ個の独立チャネルに分割される。ここで、ＮS≦ｍｉｎ｛ＮT、ＮR｝である。一般に、ＮＳ個の各独立チャネルは、ディメンションに相当する。複数の送信アンテナ及び受信アンテナによって生成される追加の次元が利用されるのであれば、ＭＩＭＯシステムは、向上されたパフォーマンス（例えば、より高いスループット、および／または、より高い信頼性など）を与えることができる。ＭＩＭＯシステムは、また、時分割デュプレクス（ＴＤＤ）システム及び周波数分割デュプレクス（ＦＤＤ）システムをサポートする。ＴＤＤシステムでは、相互性の動作原理により逆方向リンク・チャネルから順方向リンク・チャネルの評価をするために、順方向リンク伝送及び逆方向リンク伝送が同じ周波数領域にある。複数のアンテナがアクセス・ポイントで利用可能な場合、アクセス・ポイントは、これによって順方向リンク上の送信ビームフォーミング・ゲインを抽出することができる。
【０００８】
アクワジション・インジケータ・チャネル（ＡＩＣＨ）は、アクワジション・インジケータ（ＡＩ）を運ぶために使用する固定レート（ＳＦ＝２５６）物理チャネルである。アクワジション・インジケータ（ＡＩ）は、物理ランダム・アクセス・チャネル（ＰＲＡＣＨ）上のシグネチャに相当する。既存のシステムでは、ＡＩＣＨのための電力パラメータはシステム内の固定値として設定され処理される。さらに、従来のシステムは、既存のＡＩＣＨプロセッサとは異なるやり方でさらに電力パラメータを処理する必要がありうる増強ＡＩＣＨ又は拡張ＡＩＣＨ（Ｅ−ＡＩＣＨ）のような増強されたチャネルのための処理を考慮していない。
【発明の概要】
【０００９】
以下に、権利主張された主題のうちのいくつかの態様の基本的な理解を提供するために、簡単な概要を示す。この概要は、広範な概観ではなく、権利主張された主題の重要要素／決定的要素を特定することでもなく、範囲を線引きすることも意図されていない。その唯一の目的は、いくつかの概念を、後に示されるより詳細な記載に対する前置きとして、より簡単な形式で表すことである。
【００１０】
システムと方法は、アクワジション・インジケータ・チャネル（ＡＩＣＨ）及び拡張ＡＩＣＨ（Ｅ−ＡＩＣＨ）のための調整可能な電力オフセット・パラメータの生成及び通信のために提供される。電力オフセットは、ＡＩＣＨチャネルとＥ−ＡＩＣＨチャネルの電力オフセット差を示すためにフレキシブルなパラメータとして、ラジオ・ネットワーク・コントローラー（ＲＮＣ）から基地局および／またはユーザ機器までそれぞれ伝えることができる。以前のシステムでは、ＡＩＣＨは、調整できなかった固定電力信号を処理した。１つの態様では、フレキシブルなパラメータは、ＡＩＣＨチャネル及びＥ−ＡＩＣＨチャネルにそれぞれ備えられる。そのようなパラメータは、さらに、ネットワークの性能を最適化するために無線通信ネットワーク内で検出され又は設定されるかもしれない任意のノイズ・パラメータ／性能を考慮して、適切に調節することができる。別の態様では、既存のＡＩＣＨ処理アーキテクチャは、さらに調整可能なＥ−ＡＩＣＨ電力オフセット・パラメータを処理することに適応させることができる。
【００１１】
前述した目的及び関連する目的を達成するために、本明細書では、ある例示的な態様が、以下の説明及び添付図面と関連して説明される。しかしながら、これらの態様は、権利主張された主題の原理が適用されるさまざまな方法のうちのほんのいくつかを示すのみであり、権利主張された主題は、そのようなすべての態様及びそれらの均等物を含むことが意図される。図面と連携して考慮された場合、以下に示す詳細説明から、その他の利点及び斬新な特徴が明らかになりうる。
【図面の簡単な説明】
【００１２】
【図１】無線通信環境におけるＡＩＣＨチャネルとＥ＿ＡＩＣＨチャネルのためのフレキシブルな電力オフセット・パラメータのハイレベルのシステム構成図。
【図２】フレキシブルな電力オフセット・パラメータの動的な設定に対するエラーとパフォーマンスの考慮事項を図示した図。
【図３】フレキシブルな電力オフセット・パラメータの動的な設定に対するエラーとパフォーマンスの考慮事項を図示した図。
【図４】フレキシブルな電力オフセット・パラメータの動的な設定に対するエラーとパフォーマンスの考慮事項を図示した図。
【図５】調整可能な電力オフセット・パラメータを生成する無線通信方法を図示。
【図６】無線システムのための論理モジュールの例を図示した図。
【図７】代替無線システムのための論理モジュールの例を図示した図。
【図８】無線システムのための通信装置の例を図示した図。
【図９】多重アクセス無線通信システムを図示した図。
【図１０】通信システムの例を図示した図。
【図１１】通信システムの例を図示した図。
【図１２】ＡＩＣＨ及びＥ−ＡＩＣＨチャネル構成要素の例を図示した図。
【図１３】ＡＩＣＨ及びＥ−ＡＩＣＨチャネル構成要素の例を図示した図。
【図１４】ＡＩＣＨ及びＥ−ＡＩＣＨチャネル構成要素の例を図示した図。
【図１５】ＡＩＣＨ及びＥ−ＡＩＣＨチャネル構成要素の例を図示した図。
【図１６】選択された電力パラメータを基礎にしたエラー・データの例を図示した図。
【図１７】選択された電力パラメータを基礎にしたエラー・データの例を図示した図。
【図１８】選択された電力パラメータを基礎にしたエラー・データの例を図示した図。
【図１９】選択された電力パラメータを基礎にしたエラー・データの例を図示した図。
【図２０】選択された電力パラメータを基礎にしたエラー・データの例を図示した図。
【図２１】選択された電力パラメータを基礎にしたエラー・データの例を図示した図。
【発明を実施するための形態】
【００１３】
システムと方法は、モバイル無線アプリケーションのためのネットワーク・アドレスを動的に生成し、管理するために提供される。１つの態様では、無線通信のための方法が提供される。その方法は、様々な動作を実行するためにコンピュータ読取可能な記憶媒体に格納されたコンピュータで実行可能な命令群を実行するプロセッサを使用することを含む。これは、アクワジション・インジケータ・チャネル（ＡＩＣＨ）のための少なくとも１つの調整可能な電力パラメータを生成することと、拡張アクワジション・インジケータ・チャネル（Ｅ−ＡＩＣＨ）のための少なくとも１つの調整可能な電力パラメータの生成をすることを含む。その方法は、さらにＡＩＣＨとＥ−ＡＩＣＨとの差を示す少なくとも１つの電力オフセットを生成することを含む。
【００１４】
今図１を参照すると、システム１００は、無線通信環境で、アクワジション・インジケータ・チャネル（ＡＩＣＨ）及び拡張ＡＩＣＨ（Ｅ−ＡＩＣＨ）チャネルのためのフレキシブルな電力オフセット・パラメータを使用している。システム１００は、無線ネットワーク１１０による第２のデバイス１３０（または複数のデバイス）への通信可能なエンティティになりえる１つまたは複数の基地局１２０（また、ノード、発展したノードＢ−ｅＮＢ、フェムト・ステーション、ピコ・ステーションなどと呼ばれる）を含んでいる。例えば、各デバイス１３０は、アクセス端末にすることができる（さらに、端末、ユーザ機器、移動管理エンティティ（ＭＭＥ）あるいはモバイルのデバイスと呼ばれる）。基地局１２０は、ダウンリンク１４０によってデバイス１３０に通信し、アップリンク１５０によってデータを受信する。また、デバイス１３０は、ダウンリンク・チャネルによってデータを送信し、アップリンク・チャネルによってデータを受信するのであれば、アップリンク及びダウンリンクといった名称は任意である。２つの構成要素１２０及び１３０を示したが、２つ以上の構成要素をネットワーク１１０上で使用することができ、それは、そのような追加の構成要素も本明細書に記述された無線プロトコルに適応することができることを述べておく。図示するように、ラジオ・ネットワーク・コントローラー（ＲＮＣ）１６０は、調整可能な電力オフセット・パラメータ１７０，１８０を基地局１２０および／またはユーザ機器１３０に向けて、生成または通信する。ＲＮＣ１６０は、無線ネットワーク１１０上の個別のノードにすることができることを述べておく。ＲＮＣ１６０は、１つ以上の他のデバイスに組み入れてもよい。例えば、ＲＮＣは、ユーザ機器１３０および／または基地局１２０に組み入れてもよい。
【００１５】
１つの態様では、システム１００は、アクワジション・インジケータ・チャネル（ＡＩＣＨ）及び拡張ＡＩＣＨ（Ｅ−ＡＩＣＨ）のための調整可能な電力オフセット・パラメータ１７０，１８０の生成および／または通信を行う。電力オフセット１７０および／または１８０は、フレキシブルなパラメータとして、ラジオ・ネットワーク・コントローラー（ＲＮＣ）から基地局１２０および／またはユーザ機器１３０まで、ＡＩＣＨチャネルとＥ−ＡＩＣＨチャネルとの電力オフセット差を示すために、それぞれ伝えることができることができる。以前のシステムでは、ＡＩＣＨは、調整できない固定電力信号を処理していた。１つの態様では、フレキシブルなパラメータ１７０，１８０は、ＡＩＣＨチャネル及びＥ−ＡＩＣＨチャネルにそれぞれ備えられる。そのようなパラメータは、さらに、ネットワークの性能を最適化するために無線通信ネットワーク１１０内に検出され又は設定されるかもしれない任意のノイズ・パラメータ／性能（図２−４に関して下記に説明する）を考慮して適切に調節することができる。別の態様では、既存のＡＩＣＨ処理アーキテクチャは、さらに調整可能なＥ−ＡＩＣＨ電力オフセット・パラメータを処理することに適合することができる。例えば、ＡＩＣＨチャネル及びＥ−ＡＩＣＨチャネルを、図１２−１５について、より詳細に以下に説明する。
【００１６】
１つの態様では、拡張または増強された個別チャネル（Ｅ−ＤＣＨ）リソース割当て処理が施される。その処理は、ＡＩＣＨ／Ｅ−ＡＩＣＨ  Ｅ−ＤＣＨリソース割当てと呼ぶことがある。その処理は、デフォルトＥ−ＤＣＨリソースを通信するために既存のＡＩＣＨチャネルを使用することを含めてもよい（例えば、アクセス・プリアンブルとデフォルトＥ−ＤＣＨリソースとを１対１でマップされること）。デフォルトＥ−ＤＣＨリソースがブロックされる場合、ノードＢは、１６までのＡＩＣＨシグネチャの拡張したセットを使用して、Ｅ−ＤＣＨリソースを通信することができる。例えば１つのＡＩＣＨシグネチャ（以下の説明及び図の１２−１５を参照）に＋１か−１が送信されることを考慮することにより、合計３２個の値を、この拡張したスペース中に送ることができる。
【００１７】
ＡＩＣＨ／Ｅ−ＡＩＣＨ  Ｅ−ＤＣＨリソース割当てのエラー・パフォーマンスの感度は、ＡＩＣＨに割り当てられた電力の比α及び、Ｅ−ＡＩＣＨに割り当てられた、残りの電力（１−α）に対する電力オフセット・パラメータ１７０，１８０の最適化が考慮されうる。
【００１８】
ＡＩＣＨ／Ｅ−ＡＩＣＨ  Ｅ−ＤＣＨリソース割当て処理、及び例えばＡＩＣＨ／Ｅ−ＡＩＣＨ検出アルゴリズムは、次のものを含ませることができる。
【００１９】
・  ＵＥは、任意に選ばれたアクセス・プリアンブル・シグネチャを送信する。
【００２０】
・  アクセス・プリアンブルは、ＡＩＣＨシグネチャ・シーケンスを調整するＡＩビットに、１対１でマップされる。
【００２１】
・  アクセス・プリアンブルに対応するＡＩビットは、Ｅ−ＤＣＨリソース設定に、順次に１対１でマップされる。これらのリソースはデフォルト・リソース設定と呼ぶことがある。
【００２２】
・  ノードＢがアクセス・プリアンブルを検出し、対応するデフォルトＥ−ＤＣＨリソース設定が利用可能な場合、ノードＢは対応するＡＩビットに＋１を送信する。これは、ＵＥ１３０に、デフォルトＥ−ＤＣＨリソース設定インデックスがＵＥに割り当てられることを示す。
【００２３】
・  デフォルト・リソース設定が利用可能でない場合、ノードＢ１２０は、アクセス・プリアンブルに対応するＡＩビットに−１を送信することができる。
【００２４】
・  それから、ノードＢは、拡張された半分より小さいＡＩＣＨ（利用可能な１６個のシグネチャがある）シグネチャ・パターン・テーブルを調整するＡＩビットを使用して、ＵＥに別のＥ−ＤＣＨリソース設定を割り当てる。割当は以下の通りに行うことができる。
【００２５】
拡張したスペースの１６個の利用可能なＡＩＣＨシグネチャのうちの１つを送信し、Ｅ−ＤＣＨリソースを示すためにこのシグネチャのインデックスを使用する。
【００２６】
−  ノードＢは、各Ｅ−ＡＩＣＨシグネチャに、＋１か−１のいずれか一方を送信することができる。
【００２７】
−  Ｅ−ＡＩＣＨシグネチャ、及びＥ−ＡＩＣＨシグネチャに送信されたビットのサインは、ユニークな値を示す。
【００２８】
−  例えば、１６個のＥ−ＡＩＣＨシグネチャであれば、３２個の値がある。
【００２９】
−複数個の値のうちの１つは、実際のＮＡＣＫのために取っておかれる。
【００３０】
一般に、ＵＥは、分配されていないシンボルと１６個の可能なＡＩＣＨシグネチャとを対応付けて、その後、最大の「マグニチュード」を示す相関器出力を選択する。
【００３１】
・  最大のマグニチュードを伴うＡＩＣＨシグネチャに対応するＡＩビットを＋１か−１のどちらかに決めるために、ＵＥは、それから、相関器出力のサインを得る。
【００３２】
・  通常、消失ロジックは、受信アルゴリズムでは想定されていない。
【００３３】
・  その値は、それから、Ｅ−ＤＣＨリソース設定の数を除けばデフォルトＥ−ＤＣＨリソース設定インデックスとなるものに、その値を加えることにより、Ｅ−ＤＣＨリソース設定に変換される。充分に理解されうることであるが、他のＡＩＣＨアルゴリズム、Ｅ−ＡＩＣＨアルゴリズム、若しくはＥ−ＤＣＨアルゴリズム、又は処理が行われてもよい。次に進む前に、図２−４は、例えばフレキシブルなオフセット・パラメータの設定を考慮したエラー／パフォーマンス処理が記述されていることを述べておく。
【００３４】
さらに、システム１００は、アクセス端末またはモバイル・デバイスで使用することができ、そして、例えばＳＤカード、ネットワークカード、無線ネットワークカード、コンピュータ（ラップトップ、デスクトップ、携帯情報端末（ＰＤＡ）を含む）、モバイル電話、スマートフォン、あるいはネットワークにアクセスするために利用することができる他の適切な端末のようなモジュールにすることができることについて述べておく。端末は、アクセス構成要素（図示せず）を経由してネットワークにアクセスする。１つの例としては、端末とアクセス構成要素との間の接続は、実際には無線であろう。ここでは、アクセス構成要素は基地局であろうし、モバイル・デバイスは無線端末である。例えば、端末及び基地局は、限定するのではないが、時分割多元接続（ＴＤＭＡ）、符号分割多元接続（ＣＤＭＡ）、周波数分割多元接続（ＦＤＭＡ）、直交周波数分割多重化（ＯＦＤＭ）、フラッシュＯＦＤＭ、直交周波数分割多元接続（ＯＦＤＭＡ）、あるいはその他の適切なプロトコルを含む任意の適切な無線プロトコルによって通信しうる。
【００３５】
アクセス構成要素は、有線ネットワークあるいは無線ネットワークに関連付けられたアクセス・ノードでありうる。その目的のために、アクセス構成要素は、例えばルータ、スイッチ等となりうる。アクセス構成要素は、他のネットワーク・ノードと通信するために、１または複数のインタフェース（例えば、通信モジュール）を含みうる。その上に、アクセス構成要素は、セルラ型ネットワークの中の基地局（すなわち無線アクセス・ポイント）になりえる。そこでは基地局（すなわち無線アクセス・ポイント）は複数の加入者に無線受信可能範囲エリアを供給するために利用される。そのような基地局（または無線アクセス・ポイント）は、１以上のセルラ電話および／またはその他の無線端末に対して、隣接した受信可能範囲のエリアを提供するように配置することができる。
【００３６】
図２−４は、フレキシブルな電力オフセット・パラメータの動的設定をするためのエラーとパフォーマンスの考慮事項を図示する。今、図２を参照すると、最適化構成要素２００は、ＡＩＣＨ／Ｅ−ＡＩＣＨのエラー・パフォーマンス２１０及びそれぞれのチャネルのための最適化基準２２０が考慮されて設けられている。
【００３７】
図２の２１０で、上述に注目するようなＵＥ復号アルゴリズムに対応するＡＩＣＨ／Ｅ−ＡＩＣＨ処理のエラーは、次のものを含むことができる。
【００３８】
・パート１判定エラー：このエラーは、既存のＡＩＣＨスペースにおけるしきい値判定エラーに相当する。
【００３９】
・パート２判定エラー：このエラーは、ＡＩビットがＥ−ＡＩＣＨシグネチャ・スペースで送信されたことにより、拡張されたＡＩＣＨスペースを使用して復号したリソースにおけるエラーに相当する。
【００４０】
パート１のＡＩＣＨ中の受信信号（指定されたＡＩＣＨシグネチャを相関させた後）は、信号があるかどうかにより、次の方程式によって示される。
【数１】
2011518499.tif 000003
【００４１】
ただし、ｎ〜Ｎ（０，σ2part1）である。パート１の信号は、電力α・Ｅｃを有し、パート２の信号は、電力（１−α）・Ｅｃを有する、と仮定する。受信信号が判定しきい値の逆側になる場合、ＵＥは、パート１でエラーを生じる可能性がある。
【００４２】
パート１のエラーイベントを次のように定義する。
【数２】
2011518499.tif 000004
【００４３】
ターゲットとされた誤警報レートＦＡＲtargetについては、対応するＤＴＸしきい値を次のように示すことができる。
【数３】
2011518499.tif 000005
【００４４】
信号が送信されたことによるパート１の検出エラーにより生じた結果は、次のように書くことができる。
【数４】
2011518499.tif 000006
【００４５】
パート２のＡＩＣＨ中の受信信号（拡張したスペースのＥ−ＡＩＣＨシグネチャを相関させた後）は、拡張したスペースの第１のシグネチャで送信された信号「＋１」があるとすると、次の方程式によって示すことができる。
【数５】
2011518499.tif 000007
【００４６】
ただし、Ｌ＝＃ｒｅｓｏｕｒｃｅｓ／２、かつ、ｎi〜Ｎ（０，σ2part1）はｉ．ｉ．ｄ．確率変数である。
【００４７】
ｒ1が負であるかｒ1が最大のマグニチュードを有していない場合、ＵＥがパート２でエラーを生じる可能性があることに注意する。したがって、パート２エラーは、次の性質を有する可能性があるかもしれない。
【数６】
2011518499.tif 000008
【００４８】
ただし、次式は、ｐｄｆの標準正規確率変数である。
【数７】
2011518499.tif 000009
【００４９】
図２の符号２２０で、最適のαを選択するための設計基準は、パート１のＡＩＣＨ信号及びパート２のＡＩＣＨ信号からの総合誤差をできるだけ小さくしようとするだろう。パート１及びパート２からのノイズ構成要素がＡＷＧＮの場合には実際に独立していることに注目し、合計のエラーは、各パートからのエラーの合計である。一般に、α及びＥｃ／Ｉｏｒ（搬送波対干渉波比）（組み合わされたＡＩＣＨとＥ−ＡＩＣＨで）を選択する最適の基準は、パート１（ＡＩＣＨ）の所定の誤警報ターゲットについては、パート１（ＡＩＣＨ）及びパート２（Ｅ−ＡＩＣＨ）のエラー確率のコンビネーションに依存する可能性がある。異なる最適化基準について議論する前に、パート２（Ｅ−ＡＩＣＨ）で引き起こされたエラーと比較して、パート１（ＡＩＣＨ）で引き起こされるエラーの影響を理解することは有用だろう。
【００５０】
ビットがＡＩＣＨで送信された時、次のタイプのエラーはＡＩＣＨで引き起こされる可能性がある。
【００５１】
○  ＡＩＣＨタイプ１：＋１が送られ、かつ、ＤＴＸがＡＩＣＨで受信される
・  その場合では、ＵＥは、ノードＢがアクセス・プリアンブルを検出しなかったと見なし、Ｅ−ＤＣＨリソースが割り当てられることをノードＢが決定する間、物理ランダム・アクセス手続の以降の手順を続行する。
【００５２】
・  言い換えれば、Ｅ−ＤＣＨリソースは浪費されるかもしれない。コリジョン解明期間の後、あるいはさらに以前に、ノードＢは、Ｅ−ＤＣＨリソースを解放することを決定するかもしれない。
【００５３】
○  ＡＩＣＨタイプ２：＋１が送られ、かつ、−１がＡＩＣＨで受信される
・  このイベントは、タイプ１エラーと比較して、あまり生じない。しかしながら、それが生じる場合、それは深刻である可能性がある。
【００５４】
・  ＵＥは、そのデフォルトＥ−ＤＣＨリソースがブロックされたと、−１から推論し、そして、代替のＥ−ＤＣＨリソースのためのＥ−ＡＩＣＨ監視する。ＵＥが、Ｅ−ＡＩＣＨで（ＡＣＫでも消失でもない）Ｅ−ＤＣＨリソースを検出する場合、それは間違ったＥ−ＤＣＨリソースを検索する。
【００５５】
・  言い換えれば、デフォルトＥ−ＤＣＨリソースを浪費するだけでなく、ＵＥは、ノードＢが気付かないうちに、アップリンクに割り当てられていないＥ−ＤＣＨリソースを消費する。これは、さらに、同じＥ−ＤＣＨリソースを利用する、既に既存の伝送あるいは将来の伝送のコリジョンに結びつくかもしれない。
【００５６】
○  ＡＩＣＨタイプ３：−１が送られ、かつ、ＤＴＸがＡＩＣＨで受信される
・  これはＡＩＣＨタイプ１と類似するものである。
【００５７】
○  ＡＩＣＨタイプ４：−１が送られ、かつ、＋１がＡＩＣＨで受信される
・  これはＡＩＣＨタイプ２に類似する。
【００５８】
・  この場合、ＵＥは占められたデフォルト・リソースを検索し、その一方でノードＢはＵＥに別のＥ−ＤＣＨリソースを割り当てている。デフォルトＥ−ＤＣＨリソースが割り当てられたので、その結果は、コリジョンの可能性がありそうな場合以外は、ＡＩＣＨタイプ２に似ているかもしれない。
【００５９】
−１がＡＩＣＨで適正に受信された時、次のタイプのエラーがＥ−ＡＩＣＨで引き起こされる可能性がある。
【００６０】
○  Ｅ−ＡＩＣＨタイプ１：Ｅ−ＤＣＨリソースがＥ−ＡＩＣＨで示された時、ＵＥはＮＡＣＫ（Ｅ−ＡＩＣＨで送られた３２個の値のうちの１つはＮＡＣＫとして保存される）又は消失を検出する。
【００６１】
・  これはＡＩＣＨタイプ１に類似する。
【００６２】
・  この場合、ＵＥはＮＡＣＫに反応し物理ランダム・アクセス手続の残りを継続する。その一方でノードＢは、Ｅ−ＤＣＨリソースが割り当てられることを決定する。言い換えれば、Ｅ−ＤＣＨリソースは浪費される可能性がある。コリジョン解消期間の後又は以前に、ノードＢは、Ｅ−ＤＣＨリソースを解放することを決定するかもしれない。
【００６３】
○  Ｅ−ＡＩＣＨタイプ２：ＵＥは、Ｅ−ＡＩＣＨで示されたものとは異なるＥ−ＤＣＨリソースを検出する。
【００６４】
・  これは、ＡＩＣＨタイプ２又はＡＩＣＨタイプ４に類似するエラーである。
【００６５】
・  割り当てられたＥ−ＤＣＨリソースが浪費される可能性があるが、しかし、ＵＥは、ノードＢで認識されないうちに、アップリンクに割り当てられていないＥ−ＤＣＨリソースを消費する可能性があることに注意する。これは、さらに、同じＥ−ＤＣＨリソースを利用する、既存の伝送又は将来の伝送のコリジョンに結びつくかもしれない。
【００６６】
上述したように、ＡＩＣＨタイプ１、ＡＩＣＨタイプ３及びＥ−ＡＩＣＨタイプ１と比較して、ＡＩＣＨタイプ２、ＡＩＣＨタイプ４及びＥ−ＡＩＣＨタイプ２エラーは、システムに、より好ましくないことになりえる。その上、リンク解析（それは、ＡＩＣＨタイプ２及びＡＩＣＨタイプ４であることに留意する。）に基づけば、ＡＩＣＨタイプ１及びＡＩＣＨタイプ３と比較すれば多くなく生じる。さらに、ＡＩＣＨタイプ１は、ＡＩＣＨタイプ３とほぼ同じくらいありそうである。Ｅ−ＡＩＣＨエラー・パフォーマンスに関しては、Ｅ−ＡＩＣＨタイプ１がＥ−ＡＩＣＨタイプ２と比較して、どれくらい頻繁に生じるか予測するのは難しい。しかしながら、消失ロジックがある状態で、エラーがＥ−ＡＩＣＨに生じる場合に、Ｅ−ＡＩＣＨタイプ２が最も多数を示すエラーであることが予想される。
【００６７】
図３に移ると、最適化基準３００の例が図示されている。図２の上記の説明に基づけば、α及びＥｃ／Ｉｏｒ（組み合わせられたＡＩＣＨとＥ−ＡＩＣＨで）を選ぶための最適の基準は、Ｅ−ＡＩＣＨタイプ２エラーの方に、より極度にバイアスがかけられる。次の説明では、２つの可能な最適の基準が説明されているが、他のものでも可能である。
【００６８】
図３の３１０で、１つの可能な最適アプローチは、αとＥｃ／Ｉｏｒの関数（例えば結合最適化問題）として、ＡＩＣＨタイプ１エラー確率、ＡＩＣＨタイプ３エラー確率及びＥ−ＡＩＣＨタイプ２エラー確率の重み付けした合計と等しいコスト関数を、最小化することでできる。そういうわけで、α及びＥｃ／Ｉｏｒにまたがる最小化は、次のコスト関数である。
【００６９】
ｖ1＊Ｐe-aich,2＋ｖ2＊Ｐaich,1＋ｖ3＊Ｐaich,3
Ｐaich,1＝Ｐaich,3＝Ｐaichであることに注目すると、上記のコスト関数は次のように書き直せる。
【００７０】
ｗ1＊Ｐe-aich,2＋ｗ2＊Ｐaich
図３の３２０で、もう一つの最適アプローチは、次のように達成することができる。次の制約に従って最小化されたＥｃ／Ｉｏｒ（ＡＩＣＨ及びＥ−ＡＩＣＨにまたがる）のように、αを選択する。
【００７１】
Ｐaich≦Ｔ1；Ｐe-aich≦Ｔ2
上記制約と同様に評価されうる他の制約またはしきい値を選択しうる。
【００７２】
図４を参照して、さまざまなパラメータを使用して、最適化処理の例を説明する。図４の最適化について説明する前に、簡潔に図１６−２１を参照する。図１６−２１は、解析中の予想されるエラーのためのグラフの例が図示されている。パート１（ＡＩＣＨビット）とパート２（Ｅ−ＡＩＣＨビット）のエラーの確率の解析的な式に基づいて、図１６−２１は、ＡＩＣＨビットに割り当てられた合計（ＡＩＣＨ＋Ｅ−ＡＩＣＨ）の電力の比αの関数として、これらの式（図１６−２１）の数値計算結果を図示している。エラー確率は、次のシナリオで計算することができる。
【００７３】
・  ＡＷＧＮ
・  ８、１６、３２のＥ−ＤＣＨリソース
・  ジオメトリ＝０ｄＢ
・  トータル（ＡＩＣＨ＋Ｅ−ＡＩＣＨ）Ｅｃ／Ｉｏｒ＝−２２ｄＢ
・  ＡＩＣＨビットのターゲットＦＡＲ＝１％，１０％
・  αを０．３から０．７に、０．０５の刻みで変更
図４に戻って参照し、３つの異なる最適処理を説明する。図４の４１０で、最適アプローチは、次のように規定される。ｗ1＝ｗ2＝１  これは、ＡＩＣＨＴｙｐｅ１／３エラーとＥ−ＡＩＣＨタイプ２エラーが等しく重要であると考慮される場合に相当する。上に示したように、ＡＩＣＨタイプ１／３エラーと比較すると、Ｅ−ＡＩＣＨタイプ２エラーにより更に重大な結果になるかもしれないし、またそれ故に、システムの動作点としてセットすることは望ましくないかもしれない。それでも、次の基準により生じるαは考慮される。図１６乃至２１で見られるように、αが０．３から０．７に変化するにつれて、パート１（ＡＩＣＨビット）のエラー率は減少し、その一方でパート２（Ｅ−ＡＩＣＨビット）のエラー率は増加する。表１及び表２は、最適のαと、ターゲットＦＡＲ＝１％及びターゲットＦＡＲ＝１０％で、生じるエラー率をそれぞれ集計したものを示している。
【００７４】
表１：最適のα、ターゲットＦＡＲ＝１％、トータルＥｃ／Ｉｏｒ＝−２２ｄＢ、Ｇ＝０ｄＢ、ＡＷＧＮ
【表１】
2011518499.tif 000010
【００７５】
表２：最適のα、ターゲットＦＡＲ＝１％、トータルＥｃ／Ｉｏｒ＝−２２ｄＢ、Ｇ＝０ｄＢ、ＡＷＧＮ
【表２】
2011518499.tif 000011
【００７６】
上記の測定に基づけば、この基準については、最適のαと比較すると、合計のエラーにロスがあまりないので、α＝０．５の選択は適切である。結果として生じる上記の合計のエラー率が満足できない場合は、Ｅｃ／Ｉｏｒ（ＡＩＣＨ及びＥ−ＡＩＣＨにまたがる）の合計を増加させて、再度上記の処理を行う。
【００７７】
図４の４２０で、別の最適アプローチを考慮する：ｗ1＝０．９；ｗ2＝０．１
表３：最適のα、ターゲットＦＡＲ＝１％、トータルＥｃ／Ｉｏｒ＝−２２ｄＢ、Ｇ＝０ｄＢ、ＡＷＧＮ
【表３】
2011518499.tif 000012
【００７８】
表４：最適のα、ターゲットＦＡＲ＝１０％、トータルＥｃ／Ｉｏｒ＝−２２ｄＢ、Ｇ＝０ｄＢ、ＡＷＧＮ
【表４】
2011518499.tif 000013
【００７９】
上記の測定から観測されるように、この基準（０．１と０．９）で、ターゲットＦＡＲ＝１％では、α＝０．５が選択されている場合、エラー・パフォーマンスにロスはあまりない。しかしながら、ターゲットＦＡＲ＝１０％では、最適のαではなくα＝０．５の場合、パフォーマンスの差が観測されうる。特に、システムが３２個のＥ−ＤＣＨリソースで構成される場合、重み付けされたエラー・パフォーマンスでのマグニチュードのオーダで観測されうる。
【００８０】
図４の４３０で、別の最適アプローチを行うことができる。このアプローチを使用するα及びトータルＥｃ／Ｉｏｒを最適化するために、異なるＥｃ／Ｉｏｒのための図１６から図２１までのような曲線群を用いうる。図１６では、次が要求されうる、Ｔ1＝１ｅ−２；Ｔ2＝５ｅ−４。その場合、適切なα＝０．４である。トータルＥｃ／Ｉｏｒを増加させ、それでもα＝０．５を使用した場合、何か起きるかと、さらに尋ねるかもしれない。例えば、図２１は、Ｔ1＝１ｅ−２；Ｔ2＝１ｅ−５で、最適アプローチ４３０を使用する場合である。その場合、最適のα＝０．６であることが測定される。したがって、Ｅｃ／Ｉｏｒを増加して、α＝０．５を使用する場合、次の式が満たされる：
（Ｅｃ／Ｉｏｒ）1＊α1＝（Ｅｃ／Ｉｏｒ）2＊α2
α1＝０．５とα2＝０．６を代入すると、次式が得られる。
【００８１】
（Ｅｃ／Ｉｏｒ）1＝（０．６／０．５）＊（Ｅｃ／Ｉｏｒ）2
上式は、ロスが０．７９ｄＢのＥｃ／Ｉｏｒにあることを示唆する。
【００８２】
ＡＩＣＨ／Ｅ−ＡＩＣＨ  Ｅ−ＤＣＨリソース割当てのエラー・パフォーマンスは、ＡＷＧＮのＡＩＣＨエラー及びＥ−ＡＩＣＨエラーの分析的な由来に基づいて分析しうる。全体的なシステムパフォーマンスに悪影響を及ぼすため、Ｅ−ＡＩＣＨタイプ２エラーはできるだけ低くしておくべきことが示されている。さまざまな処理は、全体のＥｃ／Ｉｏｒ（ＡＩＣＨ及びＥ−ＡＩＣＨにまたがる）だけでなく、ＡＩＣＨに割り当てられた電力の比α、及びＥ−ＡＩＣＨに割り当てられた、残りの電力（１−α）も同じように最適化するために提供される。ほとんどの場合では、α＝０．５に設定することは適切で、パフォーマンスに重大なロスをもたらさない。しかしながら、最適アプローチ（ｗ１＝０．１；ｗ２＝０．９）でターゲットＦＡＲ＝１０％の場合、α＝０．５が最適のαではなく選択された時、エラー・パフォーマンスの感受性が観測される。さらに、図４の４３０の最適アプローチでは、要求されるＥ−ＡＩＣＨエラー率＝５ｅ−４と要求されるＡＩＣＨエラー率＝１ｅ−２のために、最適のαではなくα＝０．５が選択された時、Ｅｃ／Ｉｏｒ要求の〜０．８ｄＢのロスが観測される。ＡＩＣＨ及びＥ−ＡＩＣＨの両方が共に送信される場合、図１について上述したように、フレキシブルでダイナミックに調整可能な電力設定が、こうしてＡＩＣＨビット及びＥ−ＡＩＣＨビットに与えられる。
【００８３】
さて、図５を参照すると、無線通信方法５００が例示されている。説明を単純にする目的で、これら方法（及び本明細書に記載されたその他の方法）は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、権利主張された主題にしたがって方法を実現するために、必ずしも例示された全ての動作が必要とされる訳ではない。
【００８４】
５１０に移って、前に上で説明したように、調整可能な電力オフセット・パラメータはＡＩＣＨ構成要素のために定義される。同様に、５２０で、前に上で説明したように、調整可能な電力オフセット・パラメータはＥ−ＡＩＣＨ構成要素のために定義される。５３０で、電力オフセット差は、ＡＩＣＨとＥ−ＡＩＣＨの間でそれぞれ決定される。そのような違いは、電力不一致あるいはそれぞれのチャネル間の違いについて表すために５１０と５２０で与えられるパラメータに反映しうる。例えば、５４０で、電力オフセットは、基地局および／またはユーザ機器のように無線ネットワークの１または複数ノードに伝えられる。例えば、前に上で述べたように、ＡＩＣＨおよび／またはＥ−ＡＩＣＨのための電力オフセットは、ラジオ・ネットワーク・コントローラー（ＲＮＣ）により発生させ又は通信させうる。５５０で、電力パラメータは、先に上で述べた図２−４に関して説明した処理／方法に基づいて、最適化しうる。そのような最適化は、５１０と５２０で定義されたオフセット・パラメータをダイナミックに調節するために使用しうる。
【００８５】
本明細書に記載された技術は、さまざまな手段によって実現される。例えば、これらの技術は、ハードウェア、ソフトウェア、あるいはそれらの組み合わせで実現されうる。ハードウェアで実現する場合、処理ユニットは、１または複数の特定用途向けＩＣ（ＡＳＩＣ）、ディジタル信号プロセッサ（ＤＳＰ）、ディジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ、の内部に実装されうる。ソフトウェアを用いた場合、本明細書に記載された機能を実行するモジュール（例えば、手続き、関数など）によって実現されうる。ソフトウェア・コードがメモリ・ユニットに格納され、プロセッサによって実行されうる。
【００８６】
今図６，７に向けると、無線信号処理に関連するシステムが提供される。これらシステムは、プロセッサ、ソフトウェア、ハードウェア、ファームウェア、あるいはこれらの任意の適切な組み合わせによって実現される機能を表す相互関連する一連の機能ブロックとして表される。
【００８７】
図６を参照すると、無線通信システム６００が設けられている。システム６００は、アクワジション・インジケータ・チャネル（ＡＩＣＨ）のための調整可能な電力パラメータの送信のための論理モジュール６０２を含んでいる。これは、拡張アクワジション・インジケータ・チャネル（Ｅ−ＡＩＣＨ）のための調整可能な電力パラメータの送信のための論理モジュール７０４を含んでいる。これは、さらに、ＡＩＣＨとＥ−ＡＩＣＨとの差を示す電力パラメータを決定するための論理モジュール７０６を含んでいる。
【００８８】
図７を参照すると、無線通信システム７００が設けられている。システム７００は、アクワジション・インジケータ・チャネル（ＡＩＣＨ）のための調整可能な電力パラメータを処理するための論理モジュール７０２、及び拡張アクワジション・インジケータ・チャネル（Ｅ−ＡＩＣＨ）のための調整可能な電力パラメータを処理するための論理モジュール７０４を含んでいる。これは、さらに、ＡＩＣＨとＥ−ＡＩＣＨとの差を示す電力パラメータを受信するための論理モジュール７０６を含んでいる。
【００８９】
図８は、例えば無線端末のように、無線通信装置になりえる通信装置８００を例示する。それに加えて、あるいは、その代わりに、通信装置８００は、有線ネットワーク内に内在しうる。通信装置８００は、無線通信端末において信号分析を実行するための命令群を保持するメモリ８０２を含みうる。その上に、通信装置８００は、メモリ８０２内部の命令群および／または他のネットワーク・デバイスから受信された命令群を実行することのできるプロセッサ８０４を含みうる。その点では、命令群は、通信装置８００又は関連する通信装置を環境設定したこと又は操作したことに関連しうる。
【００９０】
図９を参照すると、多重アクセス無線通信システム９００が例示されている。多重アクセス無線通信システム９００は、セル９０２、セル９０４、及びセル９０６を含む複数のセルを含んでいる。システム９００の態様では、セル９０２、セル９０４、及びセル９０６は、複数のセクタを含むノードＢを含む。これら複数のセクタは、セルの部分のＵＥとの通信を担当するおのおののアンテナを備えたアンテナのグループにより形成しうる。例えば、セル９０２では、アンテナ・グループ９１２、アンテナ・グループ９１４、及びアンテナ・グループ９１６は、おのおの異なるセクタに対応しうる。セル９０４では、アンテナ・グループ９１８、アンテナ・グループ９２０、及びアンテナ・グループ９２２は、おのおの異なるセクタに対応する。セル９０６では、アンテナ・グループ９２４、アンテナ・グループ９２６、及びアンテナ・グループ９２８は、おのおの異なるセクタに対応する。セル９０２、セル９０４、及びセル９０６は、いくつかの無線通信デバイス、例えばユーザ機器又はＵＥ、を含みうる。それは、おのおののセル９０２、セル９０４、及びセル９０６の１以上のセクタと通信しうる。例えば、ＵＥ９３０及びＵＥ９３２は、ノードＢ９４２と通信し、ＵＥ９３４及びＵＥ９３６は、ノードＢ９４４と通信し、ＵＥ９３８及びＵＥ９４０は、ノードＢ９４６と通信しうる。
【００９１】
図１０を参照すると、１つの態様による多重アクセス無線通信システムが図示されている。アクセス・ポイント１０００（ＡＰ）は、複数のアンテナ・グループを含み、１つは１００４及び１００６を含み、もう１つは１００８及び１０１０を含み、さらに他のものは１０１２及び１０１４を含む。図１０では、おのおののアンテナ・グループについて２本のアンテナしか示されていないが、おのおののアンテナ・グループについて、それより多くまたはそれより少ないアンテナを利用しうる。アクセス端末１０１６（ＡＴ）は、アンテナ１０１２及びアンテナ１０１４と通信し、そこでアンテナ１０１２及びアンテナ１０１４は、順方向リンク１０２０によってアクセス端末１０１６に情報を送信し、逆方向リンク１０１８によってアクセス端末１０１６から情報を受信する。アクセス端末１０２２は、アンテナ１００６及びアンテナ１００８と通信し、そこでアンテナ１００６及びアンテナ１００８は、順方向リンク１０２６によってアクセス端末１０２２に情報を送信し、逆方向のリンク１０２４によってアクセス端末１０２２から情報を受信する。ＦＤＤシステムでは、通信リンク１０１８、通信リンク１０２０、通信リンク１０２４、及び通信リンク１０２６は、通信のために、異なる周波数を使用しうる。例えば、順方向リンク１０２０は、逆方向リンク１０１８によって使用されるものとは異なる周波数を使用しうる。
【００９２】
アンテナのおのおののグループおよび／または通信するように設計された領域は、しばしば、アクセス・ポイントのセクタと称される。おのおののアンテナ・グループは、アクセス・ポイント１０００によってカバーされる領域のセクタ内のアクセス端末と通信するように設計される。順方向リンク１０２０及び順方向リンク１０２６による通信では、アクセス・ポイント１０００の送信アンテナは、別々のアクセス端末１０１６及びアクセス端末１０２４のための順方向リンクの信号対ノイズ比を改善するためにビーム・フォーミングを利用する。さらに、その受信可能範囲により任意に散在されたアクセス端末に送信するためにビーム・フォーミングを使用するアクセス・ポイントは、そのすべてのアクセス端末に単一のアンテナを通して送信するアクセス・ポイントよりも近隣のセルのアクセス端末への干渉をより少なくする。アクセス・ポイントは、端末と通信するために使用される固定局であるかもしれないし、また、アクセス・ポイント、ノードＢ、またはその他いくつかの用語で称されうる。アクセス端末もまた、アクセス端末、ユーザ機器（ＵＥ）、無線通信デバイス、端末、アクセス端末、あるいはその他いくつかの用語で称されうる。
【００９３】
図１１を参照すると、システム１１００は、ＭＩＭＯシステム１１００において、トランスミッタ・システム２１０（アクセス・ポイントとしても知られている）とレシーバ・システム１１５０（アクセス端末としても知られている）を例示している。トランスミッタ・システム１１１０では、多くのデータ・ストリームのためのトラフィック・データが、データ・ソース１１１２から送信（ＴＸ）データ・プロセッサ１１１４に提供される。おのおののデータ・ストリームは、それぞれの送信アンテナによって送信される。ＴＸデータ・プロセッサ１１１４は、符号化されたデータを提供するために、おのおののデータ・ストリームのためのトラフィック・データを、そのデータ・ストリームのために選択された特定の符合化スキームに基づいて、フォーマットし、符号化し、インタリーブする。
【００９４】
おのおののデータ・ストリームの符合化されたデータは、ＯＦＤＭ技術を用いてパイロット・データと多重化されうる。パイロット・データは、一般に、既知の方法で処理される既知のデータ・パターンであり、チャネル応答を推定するためにレシーバ・システムにおいて使用しうる。おのおののデータ・ストリームについて符合化されたデータ及び多重化されたパイロットは、変調シンボルを供給するために、そのデータ・ストリームのために選択された特定の変調スキーム（例えば、ＢＰＳＫ、ＱＰＳＫ、Ｍ−ＰＳＫ、あるいはＭ−ＱＡＭ）に基づいて、その時に変調（例えば、シンボル・マップ）される。おのおののデータ・ストリームのデータ・レート、符号化、及び変調は、プロセッサ１１３０によって実行される命令群によって決定されうる。
【００９５】
それから、すべてのデータ・ストリームの変調シンボルは、変調シンボル（例えば、ＯＦＤＭ用）をさらに処理するかもしれないＴＸ  ＭＩＭＯプロセッサ１１２０に提供される。それから、ＴＸ  ＭＩＭＯプロセッサ１１２０は、ＮＴ数の変調シンボル・ストリームを、ＮＴ個の送信機（ＴＭＴＲ）１１２２ａ乃至１１２２ｔに提供する。ある実施形態では、ＴＸ  ＭＩＭＯプロセッサ１１２０は、データ・ストリームのシンボル、及び、シンボルが送信されるアンテナに、ビーム・フォーミング重みを適用する。
【００９６】
おのおのの送信機１１２２は、１以上のアナログ信号を提供するためにそれぞれのシンボル・ストリームを受信し、処理し、そしてＭＩＭＯチャネルによる伝送に適した変調信号を供給するために、さらにアナログ信号を調整する（例えば、増幅し、フィルタし、アップコンバートする）。さらに、送信機１１２２ａ乃至１１２２ｔからのＮＴ個の変調信号は、それからＮＴ個のアンテナ１１２４ａ乃至１１２４ｔからそれぞれ送信される。
【００９７】
レシーバ・システム１１５０では、送信された変調信号がＮＲ個のアンテナ１１５２ａ乃至１１５２ｒによって受信され、おのおののアンテナ１１５２からの受信信号が、それぞれの受信機（ＲＣＶＲ）１１５４ａ乃至１１５４ｒに提供される。おのおのの受信機１１５４は、それぞれの受信信号を調整し（例えば、フィルタし、増幅し、そしてダウンコンバートする）、サンプルを提供するために調整された信号をディジタル化し、そして、対応する「受信された」シンボル・ストリームを提供するために、さらに処理する。
【００９８】
それから、ＲＸデータ・プロセッサ１１６０は、ＮＴ数の「検出された」シンボル・ストリームを提供するために、特定の受信機処理技術に基づいて、ＮＲ個の受信機１１５４からのＮＲ数の受信・シンボル・ストリームを受信し、処理する。それから、ＲＸデータ・プロセッサ１１６０は、データ・ストリームのためのトラフィック・データを復元するために、おのおのの検出されたシンボル・ストリームを、復調し、デ・インタリーブし、復号する。ＲＸデータ・プロセッサ１１６０による処理は、トランスミッタ・システム１１１０におけるＴＸ  ＭＩＭＯプロセッサ１１２０及びＴＸデータ・プロセッサ１１１４によって実行されるものに補足的なものである。
【００９９】
プロセッサ１１７０は、どのプリコーディング行列を使用するのかを周期的に決定する（下で検討される）。さらに、プロセッサ１１７０は、行列インデクス部及びランク値部を備えた逆方向リンク・メッセージを規定する。逆方向リンク・メッセージは、通信リンクおよび／または受信データ・ストリームに関する様々なタイプの情報を備えうる。それから、逆方向リンク・メッセージは、多くのデータ・ストリームためのトラフィック・データもデータ・ソース１１３６から受信するＴＸデータ・プロセッサ１１３８によって処理され、モジュレータ１１８０によって変調され、送信機１１５４ａから送信機１１５４ｒによって調整され、そして、トランスミッタ・システムに１１１０に送り戻される。
【０１００】
トランスミッタ・システム１１１０では、レシーバ・システム１１５０からの変調信号が、アンテナ１１２４によって受信され、受信機１１２２によって調整され、復調器１１４０によって復調され、そして、レシーバ・システム１１５０によって送信された逆方向リンク・メッセージを抽出するために、ＲＸデータ・プロセッサ１１４２によって処理される。それから、プロセッサ１１３０は、ビーム・フォーミング重みを決定するために、どのプリコーディング行列を使用するかを決定し、抽出されたメッセージを処理する。
【０１０１】
図１２−１５は、ＡＩＣＨ構成要素及びＥ−ＡＩＣＨ構成要素を例示する。図１２は、ＡＩＣＨのための構造を例示する。例えば、ＡＩＣＨは、連続１５のアクセス・スロット（ＡＳ）（おのおのの長さ５１２０チップス）の反復配列を含むことができる。おのおののアクセス・スロットは、３２個の実数値信号ａ０，…，ａ３１から成るアクワジション・インジケータ（ＡＩ）部分と、形式的にＡＩＣＨの一部でない伝送のない１０２４個の連続するチップの一部分との２つの部分を含むことができる。伝送のないスロットの部分は、他の物理チャネルによって将来使用可能のために取っておかれる。図１３は、ＡＩＣＨのためのシグネチャ・パターンを例示する。
【０１０２】
図１４は、Ｅ−ＡＩＣＨのための構造を例示する。Ｅ−ＡＩＣＨは、連続１５のアクセス・スロット（ＡＳ）（おのおのの長さ５１２０チップ）の反復配列を含むことができる。おのおののアクセス・スロットは、３２個の実数値信号ａ０，…，ａ３１から成る拡張アクワジション・インジケータ（Ｅ−ＡＩ）部分と、形式的にＥ−ＡＩＣＨの一部でない伝送のない１０２４個の連続するチップの一部分との２つの部分（又はそれ以上）を含むことができる。伝送のないスロットの部分は、他の物理チャネルによって将来使用可能のために取っておいてもよい。図１５は、Ｅ−ＡＩＣＨのためのシグネチャ・パターンを例示する。
【０１０３】
一態様では、論理チャネルが、制御チャネルとトラフィック・チャネルとに分類される。論理制御チャネルは、ブロードキャスティング・システム制御情報のためのＤＬチャネルであるブロードキャスト制御チャネル（ＢＣＣＨ）を備える。ページング情報を転送するＤＬチャネルであるページング制御チャネル（ＰＣＣＨ）。１またはいくつかのＭＴＣＨのためにマルチメディア・ブロードキャスト及びマルチキャスト・サービス（ＭＢＭＳ）スケジュール及び制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。個別制御チャネル（ＤＣＣＨ）は、個別制御情報を送信するポイント・トゥ・ポイント双方向チャネルであり、ＲＲＣ接続を有するＵＥによって使用される。論理トラフィック・チャネルは、ユーザ情報を転送するための、１つのＵＥに個別のポイント・トゥ・ポイント双方向チャネルである個別トラフィック・チャネル（ＤＴＣＨ）を備える。また、トラフィック・データを送信するためのポイント・トゥ・マルチポイントＤＬチャネルのためのマルチキャスト・トラフィック・チャネル（ＭＴＣＨ）。
【０１０４】
伝送チャネルは、ＤＬとＵＬに分類される。ＤＬ伝送チャネルは、ブロードキャスト・チャネル（ＢＣＨ）、ダウンリンク共有データ・チャネル（ＤＬ−ＳＤＣＨ）、及びページング・チャネル（ＰＣＨ）を備える。ＰＣＨは、セル全体にわたってブロードキャストされ、他の制御／トラフィック・チャネルのために使用されるＰＨＹリソースにマップされることによって、ＵＥの節電をサポートする（ＤＲＸサイクルは、ネットワークによりＵＥに示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、及び複数のＰＨＹチャネルを備える。ＰＨＹチャネルは、ＤＬチャネルとＵＬチャネルとのセットを備える。
【０１０５】
ＤＬ  ＰＨＹチャネルは、以下を備える。共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、確認応答チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、負荷インジケータ・チャネル（ＬＩＣＨ）など。
【０１０６】
ＵＬ  ＰＨＹチャネルは、以下を備える。例えば、物理ランダム・アクセス・チャネル（ＰＲＡＣＨ）、チャネル品質インジケータ・チャネル（ＣＱＩＣＨ）、確認応答チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）及びブロードバンド・パイロット・チャネル（ＢＰＩＣＨ）など。
【０１０７】
他の用語／構成要素は次のものを含んでいる。３Ｇ  第３世代、３ＧＰＰ  第３世代パートナーシップ・プロジェクト、ＡＣＬＲ  隣接チャネル漏洩電力比、ＡＣＰＲ  隣接チャネル電力比、ＡＣＳ  隣接チャネル選択度、ＡＤＳ  アドバンスド・デザイン・システム、ＡＭＣ  適応変調符号化、Ａ−ＭＰＲ  追加最大電力低減、ＡＲＱ  自動再送要求、ＢＣＣＨ  ブロードキャスト制御チャネル、ＢＴ  ベース・トランシーバ・ステーション、ＣＤＤ  サイクリック遅延ダイバーシティー、ＣＣＤＦ  相補累積分布関数、ＣＤＭＡ  符号分割多元接続、ＣＦＩ  制御フォーマット・インジケータ、Ｃｏ−ＭＩＭＯ  協同ＭＩＭＯ、ＣＰ  サイクリック・プレフィクス、ＣＰＩＣＨ  共通パイロット・チャネル、ＣＰＲＩ  交通公共ラジオ・インタフェース、ＣＱＩ  チャネル品質インジケータ、ＣＲＣ  サイクリック重複抑制、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ＤＬダウンリンク（利用者への送信基地局）、ＤＬ−ＳＣＨ  ダウンリンク共有チャネル、Ｄ−ＰＨＹ  ５００Ｍｂｐｓ物理層、ＤＳＰ  ディジタル信号処理、ＤＴ  開発ツールセット、ＤＶＳＡ  ディジタル・ベクトル信号分析、ＥＤＡ  電子設計自動化、Ｅ−ＤＣＨ  エンハンスド個別チャネル、Ｅ−ＵＴＲＡＮ  発展型ＵＭＴＳ地上波無線アクセス・ネットワーク、ＥＶＭ  エラー・ベクトル・マグニチュード、ＦＤＤ  周波数分割デュプレクス。
【０１０８】
まだ、しかし、他の用語は、以下を含む。ＦＦＴ  高速フーリエ変換、ＦＲＣ  固定基準チャネル、ＦＳ１  フレーム構造タイプ１、ＦＳ２  フレーム構造タイプ２、ＧＳＭ（登録商標）  欧州広域移動通信システム、ＨＡＲＱ  ハイブリッド自動再送要求、ＨＤＬ  ハードウェア記述言語、ＨＩ  ＨＡＲＱインジケータ、ＨＳＤＰＡ  高速ダウンリンク・パケット・アクセス、ＨＳＰＡ  高速パケット・アクセス、ＨＳＵＰＡ  高速アップリンク・パケット・アクセス、ＩＦＦＴ  高速逆フーリエ変換、ＩＯＴ  相互運用性試験、ＩＰ  インターネット・プロトコル、ＬＯ  局部発振器、ＬＴＥ  ロング・ターム・エボリューション、ＭＡＣ  媒体アクセス制御、ＭＢＭＳ  マルチメディア・ブロードキャスト・マルチキャスト・サービス、ＭＢＳＦＮ  マルチキャスト／ブロードキャスト・オーバ・シングルフリクエンシー・ネットワーク、ＭＣＨ  マルチキャスト・チャネル、ＭＩＭＯ  複数入力複数出力、ＭＩＳＯ  複数入力単一出力、ＭＭＥ  モビリティ管理エンティティ、ＭＯＰ  最大出力、ＭＰＲ  最大出力低減、ＭＵ−ＭＩＭＯ  マルチユーザＭＩＭＯ、ＮＡＳ  ノンアクセス・ストラタム、ＯＢＳＡＩ  オープン・ベース・ステーション・アーキテクチャ・インタフェース、ＯＦＤＭ  直交周波数分割多重化、ＯＦＤＭＡ  直交周波数分割多元接続、ＰＡＰＲ  ピーク電力対平均電力比、ＰＡＲ  ピーク対平均電力比、ＰＢＣＨ  物理ブロードキャスト・チャネル、Ｐ−ＣＣＰＣＨ  第1共通制御物理チャネル、ＰＣＦＩＣＨ  物理制御フォーマット・インジケータ・チャネル、ＰＣＨ  ページング・チャネル、ＰＤＣＣＨ  物理ダウンリンク制御チャネル、ＰＤＣＰ  パケット・データ・コンバージェンス・プロトコル、ＰＤＳＣＨ  ダウンリンク共有物理チャネル、ＰＨＩＣＨ  物理ハイブリッドＡＲＱインジケータ・チャネル、ＰＨＹ  物理層、ＰＲＡＣＨ  物理ランダム・アクセス・チャネル、ＰＭＣＨ  物理マルチキャスト・チャネル、ＰＭＩ  プリコーディング・マトリクス・インジケータ、Ｐ−ＳＣＨ  プライマリ同期信号、ＰＵＣＣＨ  アップリンク物理制御チャネル、ＰＵＳＣＨ  アップリンク物理共有チャネル。
【０１０９】
他の用語は、以下を含む。ＱＡＭ  直交位相振幅変調、ＱＰＳＫ  直交位相シフトキーイング、ＲＡＣＨ  ランダム・アクセス・チャネル、ＲＡＴ  無線アクセス技術、ＲＢ  無線リソース・ブロック、ＲＦ  無線周波数、ＲＦＤＥ  ＲＦ設計環境、ＲＬＣ  無線リンク制御、ＲＭＣ  基準測定チャネル、ＲＮＣ  ラジオ・ネットワーク・コントローラー、ＲＲＣ  無線リソース制御、ＲＲＭ  無線リソース管理、ＲＳ  リファレンス信号、ＲＳＣＰ  受信信号コード電力、ＲＳＲＰ  リファレンス信号受信電力、ＲＳＲＱ  リファレンス信号受信品質、ＲＳＳＩ  受信信号強度インジケータ、ＳＡＥ  システム・アーキテクチャ・エボリューション、ＳＡＰ  サービスアクセスポイント、ＳＣ−ＦＤＭＡ  シングルキャリア周波数分割多元接続、ＳＦＢＣ  空間周波数ブロック符号化、Ｓ−ＧＷ  サービング・ゲートウェイ、ＳＩＭＯ  単一入力複数出力、ＳＩＳＯ  単一入力単一出力、ＳＮＲ  信号対雑音比、ＳＲＳ  サウンディングリファレンス信号、Ｓ−ＳＣＨ  第二同期チャネル、ＳＵ−ＭＩＭＯ  シングルユーザＭＩＭＯ、ＴＤＤ  時分割デュプレクス、ＴＤＭＡ  時分割多元接続、ＴＲ  テクニカルレポート、ＴｒＣＨ  トランスポートチャネル、ＴＳ  技術仕様書、ＴＴＡ  情報通信技術協会、ＴＴＩ  送信時間間隔、ＵＣＩ  アップリンク制御チャンネル、ＵＥ  ユーザ機器、ＵＬ  アップリンク（加入者の基地局への伝送）、ＵＬ−ＳＣＨ  アップリンク共有チャネル、ＵＭＢ  ウルトラ・モバイル・ブロードバンド、ＵＭＴＳ  ユニバーサル・モバイル・テレコミュニケーション・システム、ＵＴＲＡ  ユニバーサル・テレストリアル・無線アクセス、ＵＴＲＡＮ  ユニバーサル・テレストリアル・無線アクセス・ネットワーク、ＶＳＡ  ベクトル・シグナル・アナライザ、Ｗ−ＣＤＭＡ  広帯域符号分割多元接続。
【０１１０】
本明細書では、さまざまな態様が、端末に関して記載されることを述べる。端末は、また、システム、ユーザ・デバイス、加入者ユニット、加入者局、移動局、モバイル・デバイス、遠隔局、遠隔端末、アクセス端末、ユーザ端末、ユーザ・エージェント、あるいはユーザ機器とも称されうる。ユーザ・デバイスは、セルラ電話、コードレス電話、セッション初期化プロトコル（ＳＩＰ）電話、無線ローカル・ループ（ＷＬＬ）局、ＰＤＡ、無線接続機能を有する携帯型デバイス、端末内モジュール、ホスト・デバイスに接続または統合されたカード（例えば、ＰＣＭＣＩＡカードなど）、あるいは、無線モデムに接続されたその他の処理デバイスになりうる。
【０１１１】
さらに、権利主張された主題の態様は、権利主張された主題のさまざまな態様を実現するために、コンピュータまたは計算構成要素を制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、及びフラッシュ・メモリ・デバイス（例えば、カード、スティック、キー・ドライブ等）を含みうる。さらに、音声メールの送信または受信の際、あるいは、例えばセルラ・ネットワークのようなネットワークにアクセスする際に使用されるようなコンピュータ読取可能電子データを搬送するために、搬送波が適用されうることが認識されるべきである。もちろん、当業者であれば、本明細書に記載された精神または範囲から逸脱することなく多くの変形が、この構成とされうることを認識するだろう。
【０１１２】
この出願の中で使用された用語、「構成要素」、「モジュール」、「システム」、「プロトコル」、そして同種のものは、ハードウェア、ハードウェアとソフトウェアの組み合わせ、ソフトウェア、若しくは実行中のソフトウェアのいずれかのコンピュータ関連機器と呼ばれるものが意図される。例えば、構成要素は、限定される訳ではないが、プロセッサで実行中のプロセス、プロセッサ、オブジェクト、実行形式、実行スレッド、プログラム、および／またはコンピュータでありうる。実例として、サーバーで動作するアプリケーションとサーバーの両方は構成要素になりえる。１または複数の構成要素は、処理および／またはスレッドの実行中に存在するかもしれなし、構成要素は、１つのコンピュータおよび／又は２つ以上の分散されたコンピュータに存在の特定がされるかもしれない。
【０１１３】
上述したものは、１または複数の実施形態のうちの一例を含む。もちろん、上述した実施形態を説明する目的で、構成要素または方法の考えられる全ての組み合わせを記述することは可能ではないが、当業者であれば、さまざまな実施形態のさらに多くの組み合わせ及び置き換えが可能であることを認識することができる。したがって、記載された実施形態は、特許請求の範囲の精神及びスコープ内にあるそのような全ての変更、変形、及び変化を含むことが意図される。さらにまた、用語「含む」が、詳細な説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011518499.tif 000014
【図２】
2011518499.tif 000015
【図３】
2011518499.tif 000016
【図４】
2011518499.tif 000017
【図５】
2011518499.tif 000018
【図６】
2011518499.tif 000019
【図７】
2011518499.tif 000020
【図８】
2011518499.tif 000021
【図９】
2011518499.tif 000022
【図１０】
2011518499.tif 000023
【図１１】
2011518499.tif 000024
【図１２】
2011518499.tif 000025
【図１３】
2011518499.tif 000026
【図１４】
2011518499.tif 000027
【図１５】
2011518499.tif 000028
【図１６】
2011518499.tif 000029
【図１７】
2011518499.tif 000030
【図１８】
2011518499.tif 000031
【図１９】
2011518499.tif 000032
【図２０】
2011518499.tif 000033
【図２１】
2011518499.tif 000034
【国際調査報告】
2011518499.tif 000035
2011518499.tif 000036
2011518499.tif 000037